(57)【要約】【課題】本発明は、充電中断時に携帯機器から発せられる充電開始音を少なくし、使い勝手を良くすることを目的とするものである。【解決手段】携帯機器１１を充電する充電コイル９と、この充電コイル９の通電を制御する充電制御部１８と、携帯機器１１と交信する通信部１９とを有し、充電制御部１８には、車両制御部２２が接続され、充電制御部１８は、車両制御部２２から充電不可信号を取得すると、通信部１９を介して充電再開時に非報知とする制御信号を携帯機器１１に出力する。【選択図】図４
2016077023.tif 000002
【特許請求の範囲】
【請求項１】
携帯機器を充電する充電コイルと、この充電コイルの通電を制御する充電制御部と、前記携帯機器と交信する通信部と、を有し、
前記充電制御部には、車両制御部が接続され、
前記充電制御部は、前記車両制御部から充電不可信号を取得すると、前記通信部を介して充電再開時に非報知とする制御信号を前記携帯機器に出力する無接点充電装置。
【請求項２】
前記充電制御部は、充電を再開する時に、前記制御信号を前記携帯機器に出力する請求項１に記載の無接点充電装置。
【請求項３】
前記制御信号は、充電再開を知らせる信号である請求項１または２に記載の無接点充電装置。
【請求項４】
車両制御部から充電不可信号を取得するステップと、
充電再開時に非報知とする制御信号を携帯機器に出力するステップと、
をコンピュータに実行させるためのプログラム。
【請求項５】
請求項１から３のいずれかに記載の無接点充電装置が車内に設置された自動車。
【発明の詳細な説明】
【技術分野】
【０００１】
本発明は、携帯機器を、非接触式で充電する無接点充電装置と、そのプログラム、および無接点充電装置を搭載した自動車に関するものである。
【背景技術】
【０００２】
この種の無接点充電装置は、携帯機器（例えば携帯電話）を充電する充電コイルと、この充電コイルの通電を制御する充電制御部とを備え、充電コイルから磁束を携帯機器の充電コイルに供給し、携帯機器に対する無接点（非接触）充電を行う（これに類似するものとして、例えば下記特許文献１）。
【先行技術文献】
【特許文献】
【０００３】
【特許文献１】特開２０１０−１０４２０３号公報
【発明の概要】
【発明が解決しようとする課題】
【０００４】
自動車内では、無接点充電装置から発する電磁波が、キーレスエントリなど車両制御に影響を与えることがある。そのため、無接点充電装置は、充電の中断などにより、車両制御への影響が少なくなるようにしている。
【０００５】
しかしながら、何度も充電が中断されると、充電再開時に携帯機器から毎回充電開始を知らせる報知音やＬＥＤの発光などがあり、非常に煩わしく、使い勝手が良くなかった。
【０００６】
そこで、本発明は、携帯機器を充電する無接点充電装置の使い勝手を良くすることを目的とするものである。
【課題を解決するための手段】
【０００７】
この目的を達成するために本開示の第１の局面の無接点充電装置は、携帯機器を充電する充電コイルと、この充電コイルの通電を制御する充電制御部と、携帯機器と交信する通信部とを有し、充電制御部には、車両制御部が接続され、充電制御部は、車両制御部から充電不可信号を取得すると、通信部を介して充電再開時に非報知とする制御信号を携帯機器に出力する構成とし、これによって所期の目的を達成するものである。
【発明の効果】
【０００８】
以上のように本開示の第１の局面の無接点充電装置は、携帯機器を充電する充電コイルと、この充電コイルの通電を制御する充電制御部と、携帯機器と交信する通信部とを有し、充電制御部には、車両制御部が接続され、充電制御部は、車両制御部から充電不可信号を取得すると、通信部を介して充電再開時に非報知とする制御信号を携帯機器に出力する構成とした。これによって携帯機器を充電する無接点充電装置の使い勝手を良くすることを達成するものである。
【０００９】
すなわち、通常のケーブルを使った充電では、ケーブルが接続されていることを携帯機器が認識し、例えば、満充電後に充電を再開する場合は充電開始の報知音は鳴らないようになっている。
【００１０】
しかし、無接点充電では、充電を止めることは電力供給を止めることであり、携帯機器は、この電力供給の停止が、無接点充電装置が一瞬だけ充電を中断したのか、ユーザが意図的に充電台から携帯機器を取り上げて充電を止めたのか認識できない。
【００１１】
そこで、車両制御部から充電不可信号を取得すると、通信部を介して充電再開時に非報知とする制御信号を携帯機器に出力する構成としたものである。
【００１２】
よって、本発明においては、車載用などとして無接点充電装置を用いる際に、無接点充電装置が度々充電を中断することがあるが、充電再開の度に携帯機器から報知音を発しないようにすることができ、使い勝手の良いものとなる。
【図面の簡単な説明】
【００１３】
【図１】本発明の一実施形態にかかる無接点充電装置を搭載した自動車内を示す斜視図
【図２】本発明の一実施形態にかかる無接点充電装置の充電中の状態を示す図
【図３】本発明の一実施形態にかかる無接点充電装置の内部構成を示す図
【図４】本発明の一実施形態にかかる無接点充電装置の制御ブロック図
【図５】本発明の一実施形態にかかる無接点充電装置の動作フローチャート
【発明を実施するための形態】
【００１４】
以下、本発明の一実施形態を、添付図面を用いて説明する。
【００１５】
（実施の形態１）
図１において、自動車の車内２の前方にはハンドル３が配置されている。
【００１６】
また、車内２の運転席と助手席の間で、ハンドル３の左側には、車載機器４が設けられている。さらに、車載機器４の下側に無接点充電装置５が設けられている。
【００１７】
車載機器４は、出発地から目的地までの道案内を行うナビゲーション装置やＣＤ再生やラジオ受信機能を備えたオーディオ装置が代表的なものである。
【００１８】
無接点充電装置５は、図２と図３に示すように、上面に設置板８を配置した箱型の本体ケース７と、この本体ケース７内において、設置板８の下面側に対向した状態で水平方向に可動自在に設けた充電コイル９と、この充電コイル９を設置板８の下面側に対向して水平方向に移動させる駆動手段１０と、この駆動手段１０と充電コイル９に接続した充電制御部（図４の１８）とを備えている。
【００１９】
なお、図２は、携帯機器１１が充電される状態の様子を示している。
【００２０】
車載機器４は、図４に示すように、ディスプレイ６、ラジオ受信部１２、音声出力部１３、およびそれらの制御部１４を有する一般的なもので、音声出力部１３には報知手段ともなるスピーカ１５が接続されている。
【００２１】
また、無接点充電装置５は、携帯機器１１を充電する充電コイル９と、この充電コイル９に充電駆動回路１７を介して接続された充電制御部１８を備える。
【００２２】
さらに、充電制御部１８に接続された通信部１９を備えている。通信部１９は、充電コイル９と携帯機器１１の充電コイル２０とを介して通信部２１と通信する。しかし、これに限らず、Ｂｌｕｅｔｏｏｔｈ（登録商標）やＮＦＣ（Ｎｅａｒ  Ｆｉｅｌｄ  Ｃｏｍｍｕｎｉｃａｔｉｏｎの略語およそ１メートルから数センチメートル程度の極短距離の無線通信のことである）を用いた通信でも構わない。
【００２３】
さらにまた、無接点充電装置５の充電制御部１８は、車両制御部２２に接続されている。車両制御部２２は、車載機器４に接続されるとともに、キーレスエントリユニット２３など車両の電装機器にも接続されている。
【００２４】
キーレスエントリユニット２３は、キー本体に組み込まれた小型発信器の電波により、ドアの施錠や開錠、およびエンジン始動などを制御する。キーレスエントリに使われる電波周波数と無接点充電装置５が使用する電波周波数が近いことから、電波干渉が生じるおそれがある。
【００２５】
そのため、車両制御部２２は、例えば、キーレスエントリユニット２３など車両内の機器からの制御信号を受け、無接点充電装置５へ充電不可信号を出力する。なお、本実施例では、キーレスエントリを例示して説明するが、他の車両制御を優先するため、無接点充電装置５へ充電不可信号を出力してもよい。
【００２６】
充電不可信号は、典型的には、キーレスエントリなど車両制御が動作中であることを示す信号である。
【００２７】
一方、携帯機器１１は、典型的には携帯電話（スマートフォンも含む）であり、よく知られているように充電コイル２０と、この充電コイル２０に接続された端末制御部２４、充電電池２５と、端末制御部２４に接続されたディスプレイ２６、操作部２７、画像処理部２８、報知部２９（例えば、音声出力部）を備えている。
【００２８】
携帯機器１１は、通常、充電開始を知らせる充電開始音を報知部２９から発するようになっている。
【００２９】
また、この携帯機器１１の端末制御部２４に通信部２１が接続され、前述のように充電制御部１８に接続された通信部１９と各種情報を送受信する。
【００３０】
以上の構成において、図５を用いて、携帯機器１１を充電する処理について説明する。
【００３１】
まず、無接点充電装置５の電源が入れられると、充電制御部１８は、充電コイル９を介して、携帯機器１１と通信可能かどうかを確認する。充電制御部１８は、通信可能であれば、設置板８に携帯機器１１が置かれていると判断する（ステップＳ１）。
【００３２】
次に、ステップＳ２において、充電制御部１８は、充電駆動回路１７に充電を開始させ、ステップＳ３へ進む。
【００３３】
ステップＳ３では、充電制御部１８は、車両制御部２２からキーレスエントリ動作中を示す信号（充電不可信号）を取得すると、充電を停止する（ステップＳ４）。なお、充電不可信号は、キーレスエントリ動作中以外の場合、例えば、バッテリーの出力低下や他に多くの電力を必要とする機器が接続されている場合にも車両制御部２２から出力される。
【００３４】
なお、充電制御部１８が、車両制御部２２からキーレスエントリ動作中を示す信号（充電不可信号）を取得すると、直ぐに充電再開時に非報知とする制御信号を携帯機器１１に出力するようにしてもよい。
【００３５】
次に、充電制御部１８は、車両制御部２２からキーレスエントリ非動作中を示す信号（充電可信号）を取得すると、通信部１９を介して充電再開時に非報知とする制御信号を携帯機器１１に出力する（ステップＳ６）。その後、充電制御部１８は、充電を再開する（ステップＳ７）。
【００３６】
この時、充電再開時に非報知とする制御信号を取得した携帯機器１１は、報知音やＬＥＤの発光など、充電開始を知らせる報知動作をすることなく充電状態へ移行する。
【００３７】
なお、充電制御部１８は、充電中断後に携帯機器１１が設置板８から取り去られたことが確認されると、充電再開時に非報知とする制御信号を携帯機器１１に出力しないようにしてもよい。今まで充電していた携帯機器１１と異なる携帯機器１１を充電するために、ユーザが携帯機器１１を設置板８から取り去ることもあるからである。この場合、携帯機器１１から充電開始を知らせる報知動作をするほうが好ましい。
【００３８】
なお、図５の動作フローは、無接点充電装置５に搭載されたプログラムとして説明したが、車載機器４、無接点充電装置５、および携帯機器１１のいずれにもこのプログラムを搭載することが可能である。
【００３９】
以上説明したように、本実施の形態の第１の局面の無接点充電装置５は、携帯機器１１を充電する充電コイル９と、この充電コイル９の通電を制御する充電制御部１８と、携帯機器１１と交信する通信部１９とを有し、充電制御部１８には、車両制御部２２が接続され、充電制御部１８は、車両制御部２２から充電不可信号を取得すると、通信部１９を介して充電再開時に非報知とする制御信号を携帯機器１１に出力する構成とした。これによって携帯機器１１を充電する無接点充電装置５の使い勝手を良くすることを達成するものである。
【００４０】
すなわち、通常のケーブルを使った充電では、ケーブルが接続されていることを携帯機器１１が認識し、例えば、満充電後に充電を再開する場合は充電開始の報知音は鳴らないようになっている。
【００４１】
しかし、無接点充電では、充電を止めることは電力供給を止めることであり、携帯機器１１は、この電力供給の停止が、無接点充電装置５が一瞬だけ充電を中断したのか、ユーザが意図的に充電台から携帯機器１１を取り上げて充電を止めたのか認識できない。
【００４２】
そこで、車両制御部２２から充電不可信号を取得すると、通信部１９を介して充電再開時に非報知とする制御信号を携帯機器１１に出力する構成としたものである。
【００４３】
よって、本発明においては、車載用として無接点充電装置５を用いる際に、無接点充電装置５が度々充電を中断することがあるが、携帯機器１１は、充電再開の度に報知音を発しないようにすることができ、使い勝手の良いものとなる。
【産業上の利用可能性】
【００４４】
以上のように本発明の無接点充電装置は、携帯機器を充電する充電コイルと、この充電コイルの通電を制御する充電制御部と、携帯機器と交信する通信部とを有し、充電制御部には、車両制御部が接続され、充電制御部は、車両制御部から充電不可信号を取得すると、通信部を介して充電再開時に非報知とする制御信号を携帯機器に出力する構成とした。これによって携帯機器の充電時の使い勝手を良くすることができる。
【００４５】
したがって、様々な種類の携帯機器を充電する無接点充電装置としての活用が期待されるものとなる。
【符号の説明】
【００４６】
２  車内
３  ハンドル
４  車載機器
５  無接点充電装置
６  ディスプレイ
７  本体ケース
８  設置板
９  充電コイル
１０  駆動手段
１１  携帯機器
１２  ラジオ受信部
１３  音声出力部
１４  制御部
１５  スピーカ
１７  充電駆動回路
１８  充電制御部
１９、２１  通信部
２０  充電コイル
２２  車両制御部
２３  キーレスエントリユニット
２４  端末制御部
２５  充電電池
２６  ディスプレイ
２７  操作部
２８  画像処理部
２９  報知部
【図１】
2016077023.tif 000003
【図２】
2016077023.tif 000004
【図３】
2016077023.tif 000005
【図４】
2016077023.tif 000006
【図５】
2016077023.tif 000007